(57)【特許請求の範囲】
【請求項１】
画像を符号化した画像データと、その復号化に必要な情報を含むヘッダ情報とで構成される画像の実体を所定の通信手順で受信し、画像データをヘッダ情報に従って復号化する通信端末装置において、前記ヘッダ情報を任意の期間にわたって記憶する記憶手段と、前記記憶手段の内容を表示出力する表示出力手段とを備えたことを特徴とする通信端末装置。
【請求項２】
前記記憶手段は、前記ヘッダ情報の記憶に際して、対応する通信手順の信号を記憶すべくなしてあることを特徴とする請求項１に記載の通信端末装置。
【請求項３】
異常発生の有無を監視し、異常発生を検知した場合に前記記憶手段に記憶されているヘッダ情報を前記表示出力手段に表示出力させる制御手段を備えたことを特徴とする請求項１に記載の通信端末装置。
【発明の詳細な説明】
【０００１】
【発明の属する技術分野】
本発明は通信端末装置に関し、特にITU-T(International Telecommunication Union-Telecommunication recommendation) 勧告T.82に準拠するいわゆるJBIG方式の画像圧縮符号化方式をファクシミリ通信に適用した勧告T.85の機能を有する通信端末装置に関する。
【０００２】
【従来の技術】
従来、ファクシミリ通信に使用される画像データの圧縮符号化方式としては、MH(Modified Huffman)方式, MR(Modified READ) 方式, MMR(Modified Modified READ) 方式が使用されていた。MH方式は、白または黒の画素の連続数を符号化する手法であり、各走査線単位で圧縮される一次元の圧縮符号化方式である。MR方式は、垂直方向、即ち相隣する２走査線（ライン）間の相関を利用して効率を高めた圧縮符号化方式である。 MMR方式はMR方式を一部改良してより圧縮効率を高めた方式であり、原理的には同一である。しかし、時代の趨勢としてファクシミリ通信にもより高能率の圧縮符号化方式が望まれている。なお、上述のMH, MR, MMR 方式はいずれも可逆的、即ち 100％元の状態に復元可能な方式である。
【０００３】
一方、近年のコンピュータ技術、特にデジタル画像技術の発展に伴って、種々の画像の圧縮符号化方式が望まれ、また開発されている。それらの内で可逆的、即ち 100％元の状態に復元可能な方式としていわゆるJBIG(Joint Bi-level Image coding experts Group) 方式が ITU-T勧告T.82として規定されており、それをファクシミリ通信に適用するための規格として ITU-T勧告T.85が規定されている。
【０００４】
ところで、ファクシミリ通信にJBIGを利用する場合には、ファクシミリ通信のITU-T 勧告で規定されているT.30手順の信号中においてその旨を送信側で予め宣言しておく必要がある。図１はT.30手順によるファクシミリ通信の際の信号を示す模式図であり、先頭側から CED (被呼局識別),  DIS(デジタル識別信号),  DCS(デジタル命令信号),  CFR(受信準備確認),  PIX(画像データ) の順に信号が送られる。これららの信号中の DCS中の所定のビットで PIXがJBIG方式で符号化されていることを宣言することにより、受信側装置では PIXの内容がJBIG方式で符号化されたデータであることを認識してJBIG方式で復号化処理を行なう。
【０００５】
従って、 DCS中においてJBIG方式が宣言されている場合には PIXの内容はJBIG方式の符号化データBIE(２値画像実体) であり、この BIEはBIH(２値画像ヘッダ) とBID(２値画像データ) とで構成されている。
【０００６】
ところで、JBIG方式の符号化に際しては、符号化対象の画像を複数の副走査線 (ライン) 単位でストライプと称する区画に分割して処理する。そして、各ストライプから直接得られた２値画像データ (ドットデータ) は詳細は省略するが対象画素とそれが位置するライン及びその直前の１または２ラインの所定範囲の画素相互間での相関関係に応じて符号器によって符号化されてSCD(ストライプ符号化データ) とされ、更に所定の処理によりPSCD (保護されたストライプ符号化データ) とされる。このPSCDに一ストライプ分のデータの終了を示す終端マーカが付加されてSDE(ストライプデータ実体) が生成される。個々のSDE にはFMS(フローティングマーカセグメント) が付加され、そのようなセットが複数で一枚分の画像のBID(２値画像データ) が形成される。更に、この BIDに BIDが生成された際の種々のパラメータを記録したBIH(２値画像ヘッダ) が付加されてBIE(２値画像実体) が形成される。
【０００７】
図２は BIHの内容を示す模式図であり、数字はバイト数を示している。ここでＤL は「送るべき最初のレイヤ」であり、レイヤとは解像度の階層のことであるが、ファクシミリ通信に使用されるT.85方式では一つのレイヤ（最低解像度）のみが使用される。Ｄは「差分レイヤの数」であるが、T.85方式では上述の理由から”０”である。Ｐは「ビットプレーンの数」であり、２値画像を対象とする通常のファクシミリ通信では”１”である。−はいわゆるフィルバイトを示し、常にオール”０”である。ＸD は「レイヤＤ（最高解像度）における水平方向の画像サイズ」であり、ＹD は「レイヤＤ（最高解像度）における垂直方向の画像サイズ」であり、Ｌ0 は「レイヤ０（最低解像度）におけるストライプ当たりのライン数」である。ＭX 及びＭY はいわゆるAT画素と称される特別な画素の水平, 垂直オフセットを規定する。ORはオーダバイトであり、ストライプの順序を規定する。OPはオプションバイトであり、オプション機能を規定すると共に、DPTABLE の有無をも指定する。
【０００８】
このようなBIH とBID とで構成される BIEは送受信あるいは媒体への記録対象とされるデータである。換言すれば、たとえばファクシミリ通信の場合には送信側装置において複数バイトで構成されるBIE が生成されて各バイトが所定の通信手順、たとえば前述のT.30手順によるPIX(画像データ) として順次的に送信され、受信側装置ではそのような所定の通信手順で受信した信号から BIEの各バイトを取り出して上述とは逆の処理によりSCD を得て復号器に与える。復号器は与えられたSCD から個々の２値画像データ (ドットデータ) を復元して用紙にプリントし、あるいは表示装置にビットマップ表示する。
【０００９】
従って、JBIG方式においては一枚の画像の BIEは一組のBIH とBID とで構成されるため、従来のJBIG機能を有する通信端末装置では、図１の模式図に示されているように、 BIEを受信した場合またはメモリから読み出した場合等に、まず BIEから BIHが分離され、この BIHに含まれる種々のパラメータが取り出され、それらのパラメータに従って BIDが処理される。
【００１０】
【発明が解決しようとする課題】
このように従来のJBIG機能を有する通信端末装置では、 BIEから BIHを分離し、その内容として含まれる種々のパラメータに従ってBID を処理するため、少なくともその間は対応する BIHは記憶しておく必要がある。しかし、一つの BIDに関する処理が終了するとそれに対応する BIHは不要になるため、たとえば次の BIHが入力された場合には前の BIHに上書きされて記憶される等して消去される。このため、 BIDの処理に際してエラーが発生した場合には、過去の BIHは記憶されれいないために、エラー発生の原因を追求することが困難であった。
【００１１】
本発明はこのような事情に鑑みてなされたものであり、JBIG方式で符号化された画像データをファクシミリ通信する通信端末装置において、JBIG方式の画像データを構成するBIH(２値画像ヘッダ) をそれに対応するBID(２値画像データ) の処理が終了した後にも記憶しておくことにより、エラー発生の際の原因追求に役立てることを目的としている。
【００１２】
【課題を解決するための手段】
本発明に係る通信端末装置は、画像を符号化した画像データと、その復号化に必要な情報を含むヘッダ情報とで構成される画像の実体を所定の通信手順で受信し、画像データをヘッダ情報に従って復号化する通信端末装置であって、ヘッダ情報を任意の期間にわたって記憶する記憶手段と、記憶手段の内容を表示出力する表示出力手段とを備えたことを特徴とする。
【００１３】
このような本発明の通信端末装置では、ヘッダ情報が任意の期間にわたって記憶手段に記憶されているので、必要に応じてヘッダ情報を表示出力手段により表示出力させることが出来る。
【００１４】
また本発明に係る通信端末装置は、記憶手段が、ヘッダ情報の記憶に際して、対応する通信手順の信号を記憶すべくなしてあることを特徴とする。
【００１５】
また本発明の通信端末装置では、記憶手段がヘッダ情報を記憶する際に、対応する通信手順の信号も記憶するので、異常発生の際の原因追求が容易になる。
【００１６】
更に本発明に係る通信端末装置は、異常発生の有無を監視し、異常発生を検知した場合に記憶手段に記憶されているヘッダ情報を表示出力手段に表示出力させる制御手段を備えたことを特徴とする。
【００１７】
更に本発明の通信端末装置では、制御手段が異常発生の有無を監視し、異常発生を検知した場合に記憶手段に記憶されているヘッダ情報を表示出力手段に自動的に表示出力させる。
【００１８】
【発明の実施の形態】
以下、本発明をその実施の形態を示す図面に基づいて詳述する。図３は本発明の通信端末装置（以下、本発明装置と言う）のハードウェア構成を示すブロック図である。
【００１９】
主制御部１は制御手段として機能し、具体的にはCPU で構成されており、バス13を介して以下のハードウェア各部と接続されていてそれらを制御する他、後述する種々のソフトウェア的機能を実行する。
【００２０】
読取部２は、 CCD等を利用したスキャナで原稿を読み取り、白黒２値に変換したドットイメージデータを出力する。記録部３は表示出力手段として機能し、電子写真方式等のプリンタ装置であり、他のファクシミリ装置からファクシミリ通信により受信した画像データをハードコピーとしてプリントアウトして記録する。
【００２１】
表示部４は表示出力手段として機能し、液晶表示装置(LCD) または CRTディスプレイ等の表示装置であり、本発明装置の動作状態を表示したり、送信すべき原稿のイメージデータ，受信したイメージデータの表示を行う。
【００２２】
操作部５は、本発明装置を操作するために必要な文字キー, テンキー (数字キー),短縮ダイヤルキー, ワンタッチダイヤルキー, 各種のファンクションキー等を備えている。なお、上述の表示部４をタッチパネル方式とすることにより、この操作部５の各種キーの内の一部または全部を代用することも可能である。
【００２３】
ROM6は、本発明装置の動作に必要な種々のソフトウェアのプログラム、特に後述するJBIG方式の復号化のためのソフトウェアプログラムを予め格納している。RAM7は、SRAMまたはフラッシュメモリ等で構成され、ソフトウェアの実行時に発生する一時的なデータを記憶する他、適宜の領域には BIH記憶部70及び BIHプリントオプションフラグ71が設定されている。なお、RAM7にフラッシュメモリを使用した場合には、停電，装置の移動等のために電源が遮断された場合にも記憶したデータ、特に BIH記憶部70及び BIHプリントオプションフラグ71の内容が失われることはない。画像メモリ８はDRAM等で構成され、送信すべきイメージデータまたは受信したイメージデータを記憶する。
【００２４】
なお、RAM7内の BIH記憶部70は本発明装置を特徴付ける構成要素であり、ファクシミリ通信を受信した場合にそれに含まれるJBIG方式の符号データ中の BIHを記憶する。但し、本実施の形態においては、 BIH記憶部70にはファクシミリ通信の通信手順の信号も記憶するものとする。
【００２５】
また、 BIHプリントオプションフラグ71は、上述の BIH記憶部70に記憶されている BIHをエラー発生に際して自動的にプリントさせる機能が選択されているか否かを記憶するフラグである。具体的には、 BIHプリントオプションフラグ71は、通常はたとえば”０”に設定されていて「 BIHプリントオプション」が選択されていない状態を記憶している。しかし、本発明装置のユーザが操作部５の所定のキーを操作した場合には BIHプリントオプションフラグ71はたとえば”１”に設定されて「 BIHプリントオプション」が選択されている状態を記憶する。
【００２６】
NCU(Network Control Unit)11 は回線Ｌの閉結及び開放の動作を行うハードウェアであり、必要に応じてモデム10を回線Ｌと接続する。
【００２７】
次に、本発明装置がファクシミリ通信を受信した場合の主制御部１による処理手順について、図４のフローチャートを参照して説明する。
【００２８】
本発明装置の主制御部１は常時受信待機の状態にあり (ステップS11)、他の  装置からのファクシミリ通信を受信した場合には (ステップS11 で”YES ”) 、まずそのT.30手順による通信手順信号をモニタして BIH記憶部70に格納する (ステップS12)。そして、モニタした通信手順信号中の DCSにおいてJBIG方式であることを示すT.85方式が宣言されているか否かを判定し (ステップS13)、T.85方式が宣言されてない場合には (ステップS13 で”NO”) 、指定されている方式によりPIX(画像データ) を処理し、記録部３からハードコピー出力し、または表示部４にソフトコピー出力する (ステップS16)。
【００２９】
一方、ステップS13 においてT.85方式が宣言されている場合には (ステップS13 で”YES ”) 、主制御部１はPIX(画像データ) から BIHを読み出し、それをRAM7の BIH記憶部70に格納する (ステップS14)。この後、主制御部１はT.85方式による復号化処理を行なって PIXを処理して画像の復元を行ない、記録部３からハードコピー出力し、または表示部４にソフトコピー出力する (ステップS15)。
【００３０】
図５は上述のようにしてRAM7の BIH記憶部70に記憶されている BIH及び通信手順の信号を表示出力する際の主制御部１の制御手順を示すフローチャートである。
【００３１】
主制御部１は常時、異常発生の有無 (ステップS21)及びユーザによる手動での BIHプリントの起動の有無 (ステップS22)を調べている。異常発生があった場合 (ステップS21 で”YES ”) 、主制御部１は次に BIHプリントオプションフラグ71の設定状態を調べることによりユーザが BIHプリントオプションを選択しているか否かを判定する (ステップS23)。 BIHプリントオプションが選択されていない場合には (ステップS23 で”NO”) 、主制御部１はこの処理を終了する。しかし、 BIHプリントオプションが選択されている場合には (ステップS23 で”YES ”) 、主制御部１はRAM7の BIH記憶部70に格納されている総ての BIHに関する情報及び通信手順に関する情報を読み出して表示部４へのソフトコピーまたは記録部３からのハードコピーを行なう (ステップS24)。勿論、表示部４へのソフトコピーと記録部３からのハードコピーとを同時に行なってもよい。
【００３２】
一方、ユーザによる手動での BIHプリントが起動された場合には (ステップS22 で”YES ”) 、異常発生の有無には拘らずに上述のステップS24 での処理が主制御部１により実行される。この結果、RAM7の BIH記憶部70に格納されている総ての BIHが読み出されて表示部４へのソフトコピーまたは記録部３からのハードコピーが行なわれる。勿論、上述の場合と同様に、表示部４へのソフトコピーと記録部３からのハードコピーとを同時に行なってもよい。
【００３３】
図６は上述のステップS24 での処理によるたとえば記録部３からのハードコピー出力の状態を示す模式図である。この図６に示されている例では、左端の列が送信側装置(TX)から送信された通信手順信号を示す欄に、中央の列が受信側装置(RX)から送信された通信手順信号を示す欄に、また右端の列がJBIG関係の信号を示す欄になっており、送信側装置からまず DISが送信されたこと、それに応じて受信側装置から DCSが送信されたこと、それに応じて送信側装置から PIXが送信されたこと、更にその BIHの内容としてＸD  (水平方向の画像サイズ) がA4であり、ＹD  (垂直方向の画像サイズ) がA4であること等がプリントされている。
【００３４】
従って、ユーザはこのようなプリントされた BIHの内容を調べることにより、エラー発生時の対策を講じることが可能になる。
【００３５】
なお、上述の実施の形態においては、本発明をファクシミリ通信に適用した場合について説明したが、本発明はJBIG方式であればどのような通信端末装置にも適用可能であることは言うまでもない。
【００３６】
【発明の効果】
以上に詳述したように本発明の通信端末装置によれば、ヘッダ情報が任意の期間にわたって記憶手段に記憶されているので、必要に応じてヘッダ情報を表示出力手段により表示出力させることが出来る。
【００３７】
また本発明の通信端末装置によれば、記憶手段がヘッダ情報を記憶する際に、対応する通信手順の信号も記憶するので、異常発生の際の原因追求が容易になる。
【００３８】
更に本発明の通信端末装置によれば、制御手段が異常発生の有無を監視し、異常発生を検知した場合に記憶手段に記憶されているヘッダ情報を表示出力手段に自動的に表示出力される。
【図面の簡単な説明】
【図１】従来のT.30手順によるファクシミリ通信の際の信号を示す模式図である。
【図２】  JBIG方式の２値画像ヘッダである BIHの内容を示す模式図である。
【図３】本発明の通信端末装置のハードウェア構成を示すブロック図である。
【図４】本発明の通信端末装置がファクシミリ通信を受信した場合の主制御部による処理手順を示すフローチャートである。
【図５】本発明の通信端末装置の BIH記憶部に記憶されている BIH及び通信手順の信号を表示出力する際の主制御部の制御手順を示すフローチャートである。
【図６】上述のフローチャートの手順によるハードコピー出力の状態を示す模式図である。
【符号の説明】
１  主制御部、３  記録部、４  表示部、７ RAM、70   BIH記憶部、71   BIHプリントオプションフラグ。
【図１】
0003635862.tif 000002
【図２】
0003635862.tif 000003
【図３】
0003635862.tif 000004
【図４】
0003635862.tif 000005
【図５】
0003635862.tif 000006
【図６】
0003635862.tif 000007